(57)【特許請求の範囲】
【請求項１】
設置される複数の遊技台のそれぞれを複数の島グループに区分けし、該区分けした各島グループに属する各遊技台から出力される情報を得て、前記各遊技台の状態を該遊技台が属する島グループが認識できる態様にて画面表示を行う情報処理装置において、
前記画面表示は複数の画面から構成され、
前記各島グループに属する遊技台の台数の設定及び各画面に表示する島グループ数の設定を行うとともに、前記設定にしたがい、前記複数の島グループのそれぞれを各画面に振り分けを行い、表示し、各島グループの画面表示位置の変更を行うレイアウト設定手段を備えることを特徴とした情報処理装置。
【請求項２】
前記レイアウト設定手段は、前記画面表示にグリッド線を設け、該グリッドのマス内で前記島グループの表示が重ならないように移動することを特徴とした請求項１記載の情報処理装置。
【請求項３】
前記島グループの各遊技台の状態を表示する画面において、前記全島グループをメモリにロードして座標を設定して配置し、他の画面に表示を移動するとき、表示域を変更することを特徴とした請求項１又は２記載の情報処理装置。
【請求項４】
前記島グループの前記各遊技台の状態を表示する画面において、他の画面に表示を移動するとき、先ず前記レイアウト設定手段で設定した情報を表示し、その後該表示した各遊技台の情報を更新することを特徴とした請求項１又は２記載の情報処理装置。
【請求項５】
前記島グループの前記各遊技台の状態を表示する画面において、他の画面に表示を移動するとき、前記各遊技台の状態を更新して前記島グループを表示するか、前記島グループの表示完了後に設定時間を待って前記各遊技台の状態を更新するかの設定ができるようにすることを特徴とした請求項１又は２記載の情報処理装置。
【請求項６】
設置される複数の遊技台のそれぞれを複数の島グループに区分けし、該区分けした各島グループに属する各遊技台から出力される情報を得て、前記各遊技台の状態を該遊技台が属する島グループが認識できる態様にて画面表示を行う手順と、
前記画面表示を複数の画面から構成し、前記各島グループに属する遊技台の台数の設定及び各画面に表示する島グループ数の設定を行うとともに、前記設定にしたがい、前記複数の島グループのそれぞれを各画面に振り分けを行い、表示し、各島グループの画面表示位置の変更を行うレイアウト設定手順とを、
コンピュータに実行させるためのプログラム。
【発明の詳細な説明】
【０００１】
【発明の属する技術分野】
本発明は、設置される複数の機器のそれぞれを複数のグループに区分けし、該区分けした各グループに属する各機器から出力される情報を得て、前記各機器の状態を該機器が属するグループが認識できる態様にて画面表示を行うパーラシステム等の情報処理装置及びプログラムに関する。
【０００２】
【従来の技術】
従来、パーラシステムにおいて、各遊技台等の各機器ごとのコントローラを複数個まとめて制御する中継コンピュータがある。この中継コンピュータは通常複数個設けられ、これら複数個の中継コンピュータがＬＡＮ等で情報処理装置であるカウンタコンピュータに接続されている。
【０００３】
カウンタコンピュータのアプリケーションの営業表示画面は、島ごとにコントロールを持っている。各島コントロールは、島に接続された各機器の状態を売り上げデータから取得し、画面の島コントロールで表示可能である。この従来の営業表示画面は、大規模店の機器構成でも１画面で表示していた。
【０００４】
図１７は従来例の表示画面の説明図である。図１７において、営業表示画面には、実際の機器設置レイアウトとは関係なく、上段から４段目までそれぞれ９個づつの島が表示されるものであった。
【０００５】
【発明が解決しようとする課題】
上記のような従来のものは、１画面で営業表示画面を表示しているため、大規模店の機器構成を配置すると島コントロールが１画面中に収まらなくなり、無理に収めようとすると重なり表示になってしまう。また、各機器の情報の更新を行って表示するために非常に時間がかかるので、次の操作が待たされる問題があった。
【０００６】
本発明は、複数画面に島コントロールを配置して、スクロールにより表示することで、表示性能を向上させることを目的とする。
【０００７】
【課題を解決するための手段】
図１は本発明の原理説明図である。図１中、１ａは情報処理装置、２ａはグループ（島グループ）、１４ａはレイアウト設定手段、１６ａは表示手段、３１ａ〜３３ｂは機器（遊技台）である。
【０００８】
本発明は前記従来の課題を解決するため次のように構成した。
【０００９】
（１）：設置される複数の遊技台３１ａ〜３３ｂのそれぞれを複数の島グループ２ａに区分けし、該区分けした各島グループ２ａに属する各遊技台から出力される情報を得て、前記各遊技台の状態を該遊技台が属する島グループ２ａが認識できる態様にて画面表示を行う情報処理装置１ａにおいて、前記画面表示は複数の画面から構成され、前記各島グループに属する遊技台の台数の設定及び各画面に表示する島グループ数の設定を行うとともに、前記設定にしたがい、前記複数の島グループのそれぞれを各画面に振り分けを行い、表示し、各島グループ２ａの画面表示位置の変更を行うレイアウト設定手段１４ａを備える。このため、各遊技台３１ａ〜３３ｂの状態を表示する島グループ２ａ（島コントロール）を複数の画面に自由に設定することができる。
【００１０】
（２）：前記（１）の情報処理装置において、前記レイアウト設定手段１４ａは、前記画面表示にグリッド線を設け、該グリッドのマス内で前記島グループ２ａの表示が重ならないように移動する。このため、各島グループ２ａのレイアウト設定を容易に行うことができる。
【００１１】
（３）：前記（１）又は（２）の情報処理装置の前記島グループ２ａの各遊技台３１ａ〜３３ｂの状態を表示する画面において、前記全島グループ２ａをメモリにロードして座標を設定して配置し、他の画面に表示を移動するとき、表示域を変更する。このため、他の画面への表示の移動は表示域を変更する（全島グループ２ａの座標の移動や遊技台情報の更新処理が省ける）ことで表示性能を向上することができる。
【００１２】
（４）：前記（１）又は（２）の情報処理装置の前記島グループ２ａの前記各遊技台３１ａ〜３３ｂの状態を表示する画面において、他の画面に表示を移動するとき、先ず前記レイアウト設定手段１４ａで設定した情報を表示し、その後該表示した各遊技台３１ａ〜３３ｂの情報を更新する。このため、先ず前記レイアウト設定手段１４ａで設定した情報を表示し、この状態で（各遊技台３１ａ〜３３ｂの情報の更新を待たずに）更に他の画面に移動でき、表示性能を向上することができる。
【００１３】
（５）：前記（１）又は（２）の情報処理装置の前記島グループ２ａの前記各遊技台３１ａ〜３３ｂの状態を表示する画面において、他の画面に表示を移動するとき、前記各遊技台３１ａ〜３３ｂの状態を更新して前記島グループ２ａを表示するか、前記島グループ２ａの表示完了後に設定時間を待って前記各遊技台３１ａ〜３３ｂの状態を更新するかの設定ができるようにする。このため、各遊技台３１ａ〜３３ｂの状態を更新する正確な表示処理と、島グループの表示完了後に各遊技台３１ａ〜３３ｂの状態を更新する次の操作を高速に行うことができる処理とを自由に設定することができる。
【００１４】
【発明の実施の形態】
本発明は、設置される複数の機器のそれぞれを複数の島コントロール（グループ）に区分けし、該区分けした各島コントロールに属する各機器から出力される情報を得て、前記各機器の状態を該機器が属する島コントロールが認識できる態様にて画面表示を行うパーラシステム等の情報処理装置に関するものである。
【００１５】
（１）：パーラコンピュータシステムの説明
図２はパーラコンピュータシステムの説明図である。図２において、パーラコンピュータシステムには、カウンタコンピュータ１、中継コンピュータ２、Ｐコントローラ３、遊技台３１、金庫３２、計数機３３、販売機３４等が設けてある。
【００１６】
カウンタコンピュータ１は、基幹ＬＡＮ（Local Area Network）で複数の中継コンピュータ２と接続される情報処理装置である。中継コンピュータ２は、島内ネットワークで複数のＰコントローラ３と接続されている。Ｐコントローラ３は、遊技台３１、金庫３２、計数機３３、販売機３４等と接続され、ホール内機器の情報の管理を行うデータ収集端末である。
【００１７】
Ｐコントローラ３で集められた各機器の情報は、島内ネットワークを通して中継コンピュータ２に集められ、更に、基幹ＬＡＮを通してカウンタコンピュータ１に集められる。
【００１８】
（２）：カウンタコンピュータの説明
図３はカウンタコンピュータの説明図である。図３において、カウンタコンピュータ１には、連携制御部１１、データ作成部１２、信号設定部１３、ホール構成設定部１４、計算部１５、売上データ等の表示部１６、売上データ等の印刷部１７、信号設定情報ファイル１８、ホール構成情報ファイル１９、機器データファイル２０が設けてある。
【００１９】
連携制御部１１は、ホール内機器の情報を取得するため各中継コンピュータ２と連携を行うものである。データ作成部１２は、連携制御部１１で取得した信号情報から機器データファイル２０に格納するデータを作成するものである。信号設定部１３は、各種の信号の設定を行い信号設定情報ファイル１８に格納するものである。ホール構成設定部１４は、レイアウト設定手段であり、ホール構成の設定を行いホール構成情報ファイル１９に格納するものである。計算部１５は、信号設定情報ファイル１８、ホール構成情報ファイル１９、機器データファイル２０からの情報により売上データの計算等を行うものである。表示部１６は、表示画面に売上データ等の表示を行うものである。印刷部１７は、印刷装置により売上データ等の印刷を行うものである。信号設定情報ファイル１８は、信号設定部１３で設定した情報を格納するものである。ホール構成情報ファイル１９は、機器ごとの機器設置情報、島ごとの島設置情報、島ごとの島レイアウト情報等を格納するものである。機器データファイル２０は、機器ごとの機器状態を格納するものである。
【００２０】
（３）：データ構造の説明
▲１▼：ホール構成情報ファイルの説明
図４はデータ構造の説明図であり、図４（ａ）はホール構成情報ファイルの説明である。図４（ａ）において、ホール構成情報ファイル１９には、機器設置情報（機器ごと）、島設置情報（島ごと）、島レイアウト情報（島ごと）がある。機器設置情報には、遊技台、金庫、計数機、販売機等の機器種別、機器番号、島番号の情報が設けてある。島設置情報には、島の有無、遊技台台数、金庫数、計数機数、販売機数の情報が設けてある。島レイアウト情報には、島の配置の有無、頁番号、サイズ、縦又は横等の向き、Ｘ座標（頁ごとの相対座標）、Ｙ座標（頁ごとの相対座標）の情報が設けてある。
【００２１】
▲２▼：機器データファイルの説明
図４（ｂ）は機器データファイルの説明図である。図４（ｂ）において、機器データファイル２０には、異常／不正、エラー中、呼び出し中、打止中、特賞中、稼働中、空き台等の機器ごとの機器状態の情報が設けてある。
【００２２】
（４）：ホール構成設定の説明
▲１▼：遊技台等の設定の説明
図５は遊技台等の設定の説明図であり、図５（ａ）はＰコン構成設定の説明である。例えば、上段の遊技台１番は、Ｐコントローラ番号が「０１０１番Ｐコン」、設置位置が「Ａ」、中継コンピュータ番号が「１番中継コン」である設定となっている。
【００２３】
図５（ｂ）は遊技台設定の説明である。例えば、上段の島番号の「１番島」には、１番台〜１５番台で全台数が１２台である設定となっている。
【００２４】
図５（ｃ）は計数機設定の説明である。例えば、上段の１番計数機は、「１番島」に含まれ、計数機のタイプ番号が「１番タイプ」である設定となっている。
【００２５】
図６は初期レイアウトと島の説明図であり、図６（ａ）は初期レイアウトの説明である。図６（ａ）において、島コントロールの数が多いと表示画面からはみ出してしまう（はみ出した島コントロールを点線で示してある）。なお、画面右側の４個の黒三角は、上下左右方向のスクロールボタンである。
【００２６】
図６（ｂ）は島の説明である。図６（ｂ）において、一つの島コントロールを示しており、島番号（この例では１番島）と島コントロールに含まれる機器に分かれている。これらの機器は色分け点滅等により機器の状態が表示されるものであり、例えば異常等の場合は赤色で表示されるので、この表示を指摘（クリック等）して更に詳細な表示を行うことができる。
【００２７】
▲２▼：複数頁レイアウトの説明
図７は１頁に表示する島数の設定画面例の説明図である。図７において、１頁目の島数の設定画面であり、島数を入力して、「次へ」のボタンを押すことで次の頁（ここでは２ページ目）の島数の設定画面に移ることができる。
【００２８】
図８は島の長さの設定画面例の説明図である。図８において、島の長さを入力し、「適用」ボタンを押す（クリックする）ことで島の長さの表示を変更することができる。この例では「３５」が入力されている。
【００２９】
図９は島の位置の設定画面例の説明図である。図９において、島の位置（Ｘ位置、Ｙ位置、方向（縦方向、横方向））を入力し、「適用」ボタンを押すことで島の位置の表示を変更することができる。
【００３０】
図１０は複数頁による島表示の説明図であり、図１０（ａ）は島数が５個の場合の説明、図１０（ｂ）は島数が９個の場合の説明、図１０（ｃ）は島数が１２個の場合の説明である。図１０（ａ）において、島が５個縦方向に配置されている。図１０（ｂ）において、島数が９個縦方向に上下２段に配置されている。図１０（ｃ）において、上段に島が６個縦方向に、下段に島が６個が横方向に配置されている。従って、次の画面にスクロールする時、表示されている島コントロールの機器の状態のみ更新して、表示／更新時の表示性能を向上することができる。
【００３１】
図１１は複数頁レイアウトフロー図である。以下、図１１の処理Ｓ１〜Ｓ８に従ってホール構成設定部１４が行う複数頁レイアウト処理を説明する。
【００３２】
Ｓ１：ホール構成設定部１４は、島コントロールを初期配置で１頁に表示（島レイアウト情報の初期設定情報で表示）し、処理Ｓ２に移る。
【００３３】
Ｓ２：ホール構成設定部１４は、島数の設定画面を表示（図７参照）し、入力された島数を設定（島レイアウト情報の頁番号を設定）し、処理Ｓ３に移る。
【００３４】
Ｓ３：ホール構成設定部１４は、全島の設定が完了したか判断する。この判断で全島の設定が完了した場合は処理Ｓ４に移り、完了していない場合は処理Ｓ２に戻る。
【００３５】
Ｓ４：ホール構成設定部１４は、島数が一番多く設定された頁の島コントロールの表示可能なサイズを算出し、処理Ｓ５に移る。
【００３６】
Ｓ５：ホール構成設定部１４は、各頁に島コントロールを初期配置し、処理Ｓ６に移る。
【００３７】
Ｓ６：ホール構成設定部１４は、島コントロールのサイズ設定画面を表示（図８参照）し、入力されたサイズを設定（島レイアウト情報のサイズを設定）し、処理Ｓ７に移る。
【００３８】
Ｓ７：ホール構成設定部１４は、島コントロールの向きの設定画面を表示（図９参照）し、入力された向きを設定（島レイアウト情報の向きを設定）し、処理Ｓ８に移る。
【００３９】
Ｓ８：ホール構成設定部１４は、島コントロールの位置の設定画面を表示（図９参照）し、入力された位置を設定（島レイアウト情報のＸ、Ｙ座標を設定）する。
【００４０】
このように、レイアウト設定画面で、島コントロールごとに画面番号を設定することで、複数の画面に分けて、各画面で自由に島コントロールを配置することができる。
【００４１】
▲３▼：島コントロールの整列配置の説明
レイアウト設定画面の島コントロールの配置処理は、選択されたマスの中で配置が重なる島コントロールがあり、マスの中に右端もしくは下端がある場合、その島コントロールに隣り合わせて配置するようにする。また、選択されたマスの中に重なる島コントロールがない場合はグリッド線の左上に合わせて配置するようにする。なお、入力はタッチパネル等の入力手段を用いると容易に整列配置を行うことができる。
【００４２】
図１２は島コントロールの整列配置の説明図であり、図１２（ａ）は島コントロールの移動の説明である。図１２（ａ）において、レイアウト設定画面には、グリッドが設けてあり、移動元の島コントロールＩ０を黒丸で示す移動先Ｉ１の位置（グリッドのマスの中）を指定した場合、重なる島コントロールがない場合はグリッド線の左上に合わせて配置（Ｉ２の位置）する（グリッド補正を行う）。
【００４３】
図１２（ｂ）は隣の島に重ならないようにする処理の説明である。図１２（ｂ）において、移動元の島コントロールＩ０を黒丸で示す移動先Ｉ１の位置（グリッドのマスの中）を指定した場合、グリッド補正により、左端がグリッド線の左上に合わせて配置される。このとき、既に存在する配置済の島コントロールＩｓと重なる場合、その島コントロールＩｓに隣り合わせて配置するように、更に移動先Ｉ３まで移動する重なり補正が行われる。
【００４４】
図１３は隣の島に重ならないようにする処理フロー図である。以下、図１３の処理Ｓ１１〜Ｓ１８に従ってホール構成設定部１４が行うグリッド補正処理を説明する。
【００４５】
Ｓ１１：ホール構成設定部１４は、島の位置の設定画面を表示（図９参照）し、島の配置先グリッドに指定に従って島を移動し、処理Ｓ１２に移る。
【００４６】
Ｓ１２：ホール構成設定部１４は、グリッドの左上隅に島の左上隅を合わせ、処理Ｓ１３に移る。
【００４７】
Ｓ１３：ホール構成設定部１４は、配置する島の上端に重なる島があるかどうか判断する。この判断で重なる島がある場合は処理Ｓ１４に移り、ない場合は処理Ｓ１６に移る。
【００４８】
Ｓ１４：ホール構成設定部１４は、重なる島の下端が選択グリッド（配置先グリッド）の下端より上にあるかどうか判断する。この判断で選択グリッドの下端より上にある場合は処理Ｓ１５に移り、上にない場合は処理Ｓ１６に移る。
【００４９】
Ｓ１５：ホール構成設定部１４は、重なる島の下端の下に、配置する島の上端を移動し、処理１６に移る。
【００５０】
Ｓ１６：ホール構成設定部１４は、配置する島の左端に重なる島があるかどうか判断する。この判断で左端に重なる島がある場合は処理Ｓ１７に移り、ない場合はグリッド補正処理を完了する。
【００５１】
Ｓ１７：ホール構成設定部１４は、重なる島の右端が選択グリッド（配置先グリッド）の右端より左にあるかどうか判断する。この判断で選択グリッドの右端より左にある場合は処理Ｓ１８に移り、左にない場合はグリッド補正処理を完了する。
【００５２】
Ｓ１８：ホール構成設定部１４は、重なる島の右端の右に、配置する島の左端を移動して、グリッド補正処理を完了する。
【００５３】
以上のようにして、島の配置を実際のホール構成に近づけることができる。
【００５４】
（５）：営業表示画面の表示方法の説明
▲１▼：全島コントロールをメモリ中にロードする場合の説明
営業表示画面で、全島コントロールをメモリ中にロードして、座標を設定することで配置し、スクロール処理では、表示域を変更することで、島コントロールの座標の移動や機器情報の変更処理を省き、表示／更新時の表示性能を向上させることができる。
【００５５】
図１４は営業表示画面の表示方法の説明図である。図１４において、点線の枠で示す４画面に配置した全島コントロールを示している。右下の実線の枠が現在の表示画面であり、右下のスクロールボタンにより他の画面を表示することができる。
【００５６】
▲２▼：画面を指定する場合の説明
図１５は画面をスクロールする場合の説明図である。図１５において、画面の右下の上下のスクロールボタンで画面をスクロールにより画面番号を指定して他の画面を表示するものである。例えば、１画面から２画面目にスクロールした時、２画面目の各島コントロールに含まれる機器の状態を更新してから島コントロールを表示していた。
【００５７】
このようにすると、１画面の機器数が増加すると表示／スクロール操作をしてから次の操作を行うまでに非常に時間がかかってしまう。このため、一旦元の機器状態で設定レイアウトのみ表示（次の画面へのスクロールは可能）した後、設定時間待った後、機器状態の更新を行うことができる設定を付ける。この設定により、次の操作を行うまでの時間を短縮することが可能となる。
【００５８】
図１６は営業表示画面の表示処理フローチャートである。以下、図１６の処理Ｓ２１〜Ｓ２７に従って、表示部１６が行う表示処理を説明する。
【００５９】
Ｓ２１：営業表示画面の表示処理が開始すると、表示部１６は、島コントロールの表示を開始し、処理Ｓ２２に移る。
【００６０】
Ｓ２２：表示部１６は、表示完了前に機器状態を更新する設定かどうか判断する。この判断で表示完了前に機器状態を更新する設定の場合は処理Ｓ２３に移り、更新する設定でない場合は処理Ｓ２５に移る。
【００６１】
Ｓ２３：表示部１６は、表示する島コントロール内の機器状態を更新し、処理Ｓ２４に移る。
【００６２】
Ｓ２４：表示部１６は、表示する島コントロールの表示を完了し、営業表示画面の表示処理を完了し、以後、一定時間ごとに機器状態の更新を行う。
【００６３】
Ｓ２５：表示部１６は、表示する島コントロールの表示を完了し、処理Ｓ２６に移る。
【００６４】
Ｓ２６：表示部１６は、設定時間の間、機器状態の表示更新を待ち（他の操作が可能である）、処理Ｓ２７に移る。
【００６５】
Ｓ２７：表示部１６は、島コントロール内の機器状態を更新し、営業表示画面の表示処理を完了し、以後、一定時間ごとに機器状態の更新を行う。
【００６６】
（６）：プログラムインストールの説明
連携制御部１１、データ作成部１２、信号設定部１３、ホール構成設定部１４、レイアウト設定手段１４ａ、計算部１５、表示部１６、表示手段１６ａ等は、プログラムで構成でき、主制御部（ＣＰＵ）が実行するものであり、主記憶に格納されているものである。このプログラムは、一般的な、コンピュータで処理されるものである。このコンピュータは、主制御部、主記憶、ファイル装置、表示装置、キーボード等の入力手段である入力装置などのハードウェアで構成されている。
【００６７】
このコンピュータに、本発明のプログラムをインストールする。このインストールは、フロッピィ、光磁気ディスク等の可搬型の記録（記憶）媒体に、これらのプログラムを記憶させておき、コンピュータが備えている記録媒体に対して、アクセスするためのドライブ装置を介して、或いは、ＬＡＮ等のネットワークを介して、コンピュータに設けられたファイル装置にインストールされる。そして、このファイル装置から処理に必要なプログラムステップを主記憶に読み出し、主制御部が実行するものである。
【００６８】
【発明の効果】
以上説明したように、本発明によれば、次のような効果がある。
【００６９】
（１）：請求項１では、レイアウト設定手段で、前記各島グループに属する遊技台の台数の設定及び各画面に表示する島グループ数の設定を行うとともに、前記設定にしたがい、前記複数の島グループのそれぞれを各画面に振り分けを行い、表示し、各島グループの画面表示位置の変更を行うため、各遊技台の状態を表示する島グループを複数の画面に自由に設定することができる。
【００７０】
（２）：請求項２では、レイアウト設定手段で、画面表示にグリッド線を設け、該グリッドのマス内で前記島グループの表示が重ならないように移動するため、各島グループのレイアウト設定を容易に行うことができる。
【００７１】
（３）：請求項３では、島グループの各遊技台の状態を表示する画面において、前記全島グループをメモリにロードして座標を設定して配置し、他の画面に表示を移動するとき、表示域を変更するため、他の画面への表示の移動は表示域を変更する（全島グループの座標の移動や遊技台情報の更新処理が省ける）ことで表示性能を向上することができる。
【００７２】
（４）：請求項４では、島グループの前記各遊技台の状態を表示する画面において、他の画面に表示を移動するとき、先ず前記レイアウト設定手段で設定した情報を表示し、その後該表示した各遊技台の情報を更新するため、先ず前記レイアウト設定手段で設定した情報を表示し、この状態で（各遊技台の情報の更新を待たずに）更に他の画面に移動でき、表示性能を向上することができる。
【００７３】
（５）：請求項５では、島グループの前記各遊技台の状態を表示する画面において、他の画面に表示を移動するとき、各遊技台の状態を更新して前記島グループを表示するか、前記島グループの表示完了後に設定時間を待って前記各遊技台の状態を更新するかの設定ができるようにするため、各遊技台の状態を更新する正確な表示処理と、島グループの表示完了後に各遊技台の状態を更新する次の操作を高速に行うことができる処理とを自由に設定することができる。
【００７４】
（６）：請求項６では、設置される複数の遊技台のそれぞれを複数の島グループに区分けし、該区分けした各島グループに属する各遊技台から出力される情報を得て、前記各遊技台の状態を該遊技台が属する島グループが認識できる態様にて画面表示を行う手順と、前記画面表示を複数の画面から構成し、前記各島グループに属する遊技台の台数の設定及び各画面に表示する島グループ数の設定を行うとともに、前記設定にしたがい、前記複数の島グループのそれぞれを各画面に振り分けを行い、表示し、各島グループの画面表示位置の変更を行うレイアウト設定手順とを、コンピュータに実行させるためのプログラム又はプログラムを記録したコンピュータ読取可能な記録媒体とするため、このプログラムをコンピュータにインストールすることで各遊技台の状態を表示する島グループを複数の画面に自由に設定することができる情報処理装置を容易に提供することができる。
【図面の簡単な説明】
【図１】本発明の原理説明図である。
【図２】実施の形態におけるパーラコンピュータシステムの説明図である。
【図３】実施の形態におけるカウンタコンピュータの説明図である。
【図４】実施の形態におけるデータ構造の説明図である。
【図５】実施の形態における遊技台等の設定の説明図である。
【図６】実施の形態における初期レイアウトと島の説明図である。
【図７】実施の形態における１頁に表示する島数の設定画面例の説明図である。
【図８】実施の形態における島の長さの設定画面例の説明図である。
【図９】実施の形態における島の位置の設定画面例の説明図である。
【図１０】実施の形態における複数頁による島表示の説明図である。
【図１１】実施の形態における複数頁レイアウトフロー図である。
【図１２】実施の形態における島コントロールの整列配置の説明図である。
【図１３】実施の形態における隣の島に重ならないようにする処理フロー図である。
【図１４】実施の形態における営業表示画面の表示方法の説明図である。
【図１５】実施の形態における画面をスクロールする場合の説明図である。
【図１６】実施の形態における営業表示画面の表示処理フローチャートである。
【図１７】従来例の表示画面の説明図である。
【符号の説明】
１ａ  情報処理装置
２ａ  グループ（島グループ）
１４ａ  レイアウト設定手段
１６ａ  表示手段
３１ａ〜３３ｂ  機器（遊技台）
【図１】
0003816761.tif 000002
【図２】
0003816761.tif 000003
【図３】
0003816761.tif 000004
【図４】
0003816761.tif 000005
【図５】
0003816761.tif 000006
【図６】
0003816761.tif 000007
【図７】
0003816761.tif 000008
【図８】
0003816761.tif 000009
【図９】
0003816761.tif 000010
【図１０】
0003816761.tif 000011
【図１１】
0003816761.tif 000012
【図１２】
0003816761.tif 000013
【図１３】
0003816761.tif 000014
【図１４】
0003816761.tif 000015
【図１５】
0003816761.tif 000016
【図１６】
0003816761.tif 000017
【図１７】
0003816761.tif 000018